(57)【要約】【課題】美観が良好で、高級感を有し、強度的にも優れ、内部に収容したアンテナが確実に電波を受信することが可能な無線機能付き時計を提供する。【解決手段】無線機能付き時計であって、ハウジングと、ハウジング内に収容され、外部からの電波を受信するためのアンテナと、ハウジング内に配置された文字板と、文字板上に配置された導電性の環状部材と、環状部材に形成され、環状部材を周方向に分断する少なくとも１つのスリットとを備える。【選択図】図１
2008032565.tif 000002
【特許請求の範囲】
【請求項１】
無線機能付き時計であって、
ハウジングと、
前記ハウジング内に収容され、外部からの電波を受信するためのアンテナと、
前記ハウジング内に配置された文字板と、
前記文字板に配置された導電性の環状部材と、
前記環状部材に形成され、環状部材を周方向に分断する少なくとも１つのスリットと、を備えることを特徴とする無線機能付き時計。
【請求項２】
前記スリットが、アンテナの上方近傍に配置されていることを特徴とする請求項１に記載の無線機能付き時計。
【請求項３】
前記スリットが、アンテナの開放両端部に対向して、アンテナの上方近傍に配置された２つのスリットから構成されていることを特徴とする請求項１に記載の無線機能付き時計。
【請求項４】
前記スリットが、アンテナの少なくとも一方の開放端部に対向して、アンテナの上方近傍に配置されたスリットから構成されていることを特徴とする請求項１に記載の無線機能付き時計。
【請求項５】
前記環状部材が、ハウジングに対して平面方向に隙間して配置されていることを特徴とする請求項１から４のいずれかに記載の無線機能付き時計。
【請求項６】
前記スリットが、文字板の時計の機能表示を示す指標位置に対応して配置されていることを特徴とする請求項１から５のいずれかに記載の無線機能付き時計。
【請求項７】
前記文字板上に、スリット内に配置された時計の機能表示を示す指標部を備えることを特徴とする請求項１から６のいずれかに記載の無線機能付き時計。
【請求項８】
前記スリット内に配置された時計の機能表示を示す指標部が、指標部材であることを特徴とする請求項７に記載の無線機能付き時計。
【請求項９】
前記スリット内に配置された時計の機能表示を示す指標部が、文字板に形成された指標窓部であることを特徴とする請求項７に記載の無線機能付き時計。
【請求項１０】
前記環状部材のスリット内に配置された絶縁部材を備えることを特徴とする請求項１から６のいずれかに記載の無線機能付き時計。
【請求項１１】
前記絶縁部材が、非導電性の合成樹脂であることを特徴とする請求項１０に記載の無線機能付き時計。
【請求項１２】
前記絶縁部材の視認面の色調が、環状部材の視認面の色調と同色色調であることを特徴とする請求項１０から１１のいずれかに記載の無線機能付き時計。
【請求項１３】
前記絶縁部材の視認面の色調が、環状部材の視認面の色調である金属外観と同色色調である金属外観を呈することを特徴とする請求項１２に記載の無線機能付き時計。
【請求項１４】
前記絶縁部材の視認面の色調が、環状部材の視認面の色調と異色色調であることを特徴とする請求項１０から１１のいずれかに記載の無線機能付き時計。
【請求項１５】
前記絶縁部材が、時計の機能表示を示す指標であることを特徴とする請求項１０から１４のいずれかに記載の無線機能付き時計。
【請求項１６】
前記絶縁部材が、導電性の付加部材を保持し、
前記付加部材が、外方から視認され得るように、かつ環状部材と接触しないように絶縁部材に保持されていることを特徴とする請求項１０から１５のいずれかに記載の無線機能付き時計。
【請求項１７】
前記付加部材の視認面の色調が、環状部材の視認面の色調と同色色調であることを特徴とする請求項１６に記載の無線機能付き時計。
【請求項１８】
前記付加部材の視認面の色調が、環状部材の視認面の色調と異色色調であることを特徴とする請求項１１に記載の無線機能付き時計。
【請求項１９】
前記付加部材が、時計の機能表示を示す指標であることを特徴とする請求項１６から１８のいずれかに記載の無線機能付き時計。
【請求項２０】
前記環状部材と絶縁部材と付加部材の視認面が、略同一平面を形成していることを特徴とする請求項１６から１９のいずれかに記載の無線機能付き時計。
【請求項２１】
前記付加部材が、環状部材と絶縁部材との境界の少なくとも一部を覆う覆い部を備えることを特徴とする請求項１６から２０のいずれかに記載の無線機能付き時計。
【請求項２２】
前記付加部材の覆い部と環状部材との間に、絶縁部材より延出する延出部が形成されていることを特徴とする請求項２１に記載の無線機能付き時計。
【請求項２３】
前記付加部材が、絶縁部材に形成された凹部内に配置されていることを特徴とする請求項１６から２２のいずれかに記載の無線機能付き時計。
【請求項２４】
前記スリット内に一定間隔離間して配置された２つの絶縁部材の間に、付加部材が配置されていることを特徴とする請求項１６から２３のいずれかに記載の無線機能付き時計。
【請求項２５】
前記絶縁部材と付加部材のいずれか一方に突設された係合凸部と、他方に形成された係合孔部とを備え、
前記係合凸部と係合孔部との係合によって、付加部材が絶縁部材に取り付けられていることを特徴とする請求項１６から２４のいずれかに記載の無線機能付き時計。
【請求項２６】
前記絶縁部材が、文字板上面に延出する指標部を備えることを特徴とする請求項１０から２５のいずれかに記載の無線機能付き時計。
【請求項２７】
前記付加部材が、文字板上面に延出する指標部を備えることを特徴とする請求項１６から２６のいずれかに記載の無線機能付き時計。
【請求項２８】
前記絶縁部材が、装飾部材を備えることを特徴とする請求項１０から２７のいずれかに記載の無線機能付き時計。
【請求項２９】
前記文字板に、複数の径の異なる環状部材が配置されていることを特徴とする請求項１から２８のいずれかに記載の無線機能付き時計。
【請求項３０】
前記文字板に、前記複数の径の異なる環状部材が、相互に離間して配置されていることを特徴とする請求項２９に記載の無線機能付き時計。
【請求項３１】
前記環状部材が、文字板に配置された装飾用リングであることを特徴とする請求項１から３０のいずれかに記載の無線機能付き時計。
【請求項３２】
前記環状部材が、文字板に配置された機能表示を示す指標を備える計測リングであることを特徴とする請求項１から３０のいずれかに記載の無線機能付き時計。
【請求項３３】
前記環状部材と文字板のいずれか一方に突設された係合凸部と、他方に形成された係合孔部とを備え、
前記係合凸部と係合孔部との係合によって、環状部材が文字板上に取り付けられていることを特徴とする請求項１から３２のいずれかに記載の無線機能付き時計。
【請求項３４】
前記環状部材が、圧入、カシメ、溶接、ロー付、接着剤、粘着剤の中の少なくとも１つの手段によって、文字板上に取り付けられていることを特徴とする請求項１から３２のいずれかに記載の無線機能付き時計。
【請求項３５】
前記環状部材が、文字板上に配置されていることを特徴とする請求項１から３４のいずれかに記載の無線機能付き時計。
【請求項３６】
前記環状部材が、文字板内に埋設状態で配置されていることを特徴とする請求項１から３５のいずれかに記載の無線機能付き時計。
【請求項３７】
前記文字板内に埋設状態で配置された環状部材の少なくとも一方の表面が、文字板の表面と略同一平面となるように配置されていることを特徴とする請求項３６に記載の無線機能付き時計。
【請求項３８】
前記文字板内に埋設状態で配置された環状部材の少なくとも一方の表面が、文字板の表面から突出するように配置されていることを特徴とする請求項３６に記載の無線機能付き時計。
【請求項３９】
前記文字板内に埋設状態で配置された環状部材が、文字板の厚さ方向に貫通するように配置されていることを特徴とする請求項３６から３８のいずれかに記載の無線機能付き時計。
【請求項４０】
前記文字板内に埋設状態で文字板の厚さ方向に貫通するように配置された環状部材で区画された文字板部分が、相互に異なる材料から構成されていることを特徴とする請求項３９に記載の無線機能付き時計。
【発明の詳細な説明】
【技術分野】
【０００１】
本発明は、無線機能付き時計、特に、所定の電波を受信できるアンテナと、アンテナを収容するための導電性のハウジングを備えた時計に関する。
【背景技術】
【０００２】
従来、パソコン通信機能、携帯電話機能や非接触式ＩＣカード機能などの無線機能を備える時計は、すでに知られている。
このような無線機能付き時計として、時刻情報を含む長波標準電波（搬送波）を受信し、その時刻情報に基づいて時刻を修正する無線機能を備えた電波時計も、また広く知られている。
【０００３】
これらの無線機能付き時計は、他の通信機器と同様に、所定の電波を受信するためのアンテナを備える必要がある。
このため、電波を受信する機能、すなわち、受信感度からすれば、電波を受信するアンテナを収納する筐体であるハウジングを、合成樹脂などの非導電性の素材から構成することが考えられる。
【０００４】
しかしながら、これら無線機能付き時計は、時計であるがために、他の通信機器と異なり、装飾品、または装身具としての美観や高級観が求められる。
このため、電波を受信するアンテナを収納する筐体であるハウジングを、合成樹脂などの非導電性の素材ではなく、導電性の素材、すなわち、金属製の素材を採用することが求められる。
【０００５】
これは、合成樹脂などのハウジングが、その質感、色調、または軽量さから、安価な外観と装着感とを使用者に与えるものであり、これに対して、金属製のハウジングが、高級感のある外観と装着感とを使用者に与えるためである。
【０００６】
この金属製のハウジングに対する要求は、ユーザーに携帯される装身具としての腕時計において、特に著しいものである。
しかしながら、アンテナを、導電性のハウジング、すなわち、金属製のハウジング内に収納した場合には、アンテナ近傍に発生する磁束が導電材料である金属製のハウジングに吸収され、共振現象が妨げられるため、アンテナが標準電波を受信する受信機能が著しく低下してしまうことになる。
【０００７】
このため、従来より、様々な受信感度向上のための提案がなされている。
例えば、特許文献１（特開２００２−３４１０５７号公報）では、金属製筐体である金属製のハウジングを備える電波時計、特に、電波腕時計が開示されている。
【０００８】
すなわち、図２６に示したように、この電波時計１００は、ハウジング１０２を備えている。
なお、本明細書中、「上下方向」とは、図２６、または図２において、上下方向を意味する。従って、上面とは、腕時計を手首に装着した状態において、外方に露出する面であり、下面とは、同状態において手首と相対する面である。
【０００９】
また、「平面方向」とは、上下方向に直交する方向であって、図２６において、左右方向を意味するものであり、平面方向が、バンドの長手方向、または、バンドの幅方向と重複する場合もある。
【００１０】
このハウジング１０２は、金属製の枠体を構成する時計ケース１０４と、時計ケース１０４の下面開口部を覆うように密封状態で装着される金属製の裏蓋１０６と、この時計ケースの上面開口部を覆うように、密封状態で装着される風防（ガラス）１０８とを備えている。
【００１１】
このハウジング１０２内には、時計駆動部を構成するムーブメント１１０と、このムーブメント１１０の上面に配置され、ムーブメントを光の起電力によって駆動するためのソーラーセル１１２を備えている。
【００１２】
また、このソーラーセル１１２の上面には、ソーラーセル１１２の発電に寄与する波長の外光を、少なくともムーブメント１１０の駆動に足るだけ透過させる透光機能を有する文字板１１４を備えている。
【００１３】
さらに、このムーブメント１１０の側部下方には、標準電波を受信するためのアンテナ１１６が付設されている。
なお、図示しないが、ムーブメント１１０より突出して、ソーラーセル１１２と文字板１１４とを貫通する針軸に、分針と時針とが配置される。これら分針と時針とは、文字板１１４と風防１０８との間に位置して時刻を表示するようになっている。
【００１４】
さらに、時計ケース１０４は、外方に突出する２組のバンド取り付け部１１８を備えており、これらのバンド取り付け部１１８にはそれぞれ、互いに対向するように、一定間隔離間して配置され、時計ケース１０４より延設された脚部１２０を備えている。
【００１５】
そして、これらの脚部１２０のそれぞれの間に、図示しない腕時計のバンドそれぞれが連結されるようになっている。
ところで、このような金属製外装が採用された電波時計１００においては、アンテナ１１６が電波を受信する際に、金属製の時計ケース１０４において、その環状壁の周方向に沿った渦電流が誘導電流として流れることになる。
【００１６】
この渦電流が、ハウジング１０２の外部からの電波を相殺してしまい、アンテナ１１６の受信感度が極めて低下してしまうことになる。
このような現象を回避するために、この特許文献１の電波時計１００においては、時計ケース１０４の環状壁には、時計ケース１０４を周方向に分断するスリット１２２を備えている。
【００１７】
すなわち、図２６に示したように、時計ケース１０４は、スリット１２２によって、上下方向に沿って完全に分断され、結果として、このスリット１２２によって、時計ケース１０４は、略Ｃ型の枠体の形状となっている。
【００１８】
なお、図２６においては、このスリット１２２を明確にするために省略して、図示はされていないが、このスリット１２２には、非導電性の合成樹脂から成る絶縁部材が埋め込まれた状態となっている。
【００１９】
すなわち、この絶縁部材によって、時計ケース１０４の防水性と強度が維持されるように構成されている。
従って、このスリット１２２を備える電波時計１００では、アンテナ１１６が電波を受信する際に、時計ケース１０４の環状壁の周方向に沿った渦電流が流れないので、導電性である金属製の時計ケース１０４を採用した場合にも、アンテナ１１６の受信が確保されるようになっている。
【特許文献１】特開２００２−３４１０５７号公報
【発明の開示】
【発明が解決しようとする課題】
【００２０】
しかしながら、特許文献１の電波時計１００では、時計ケース１０４の一部に、スリット１２２を形成して、このスリット１２２に合成樹脂からなる絶縁部材を埋め込んだ状態であるので、美観が良好ではなく、高級感に欠けることになり、また、全てを金属で構成した時計ケースに比較して、絶縁部材の部分で強度がどうしても弱くなり、防水性、耐衝撃性、耐磨耗性、耐薬品性にも劣ることになる。
【００２１】
また、特許文献１の電波時計１００では、時計ケース１０４の一部に、スリット１２２を形成して、アンテナ１１６による受信感度を向上するようにしているが、受信時に電波時計１００がおかれている場所によっては、または、その周囲の環境によっては、さらには時計の姿勢などによっても、しばしばアンテナが受信できないことがあった。
【００２２】
従って、特許文献１のようにスリット１２２を備える電波時計１００にあっても、そのアンテナ１１６の受信感度は、いまだ十分な受信感度を得ているとは言い難いものである。
【００２３】
本発明は、このような現状に鑑み、美観が良好で、高級感を有し、強度的にも優れ、内部に収容したアンテナが確実に電波を受信することが可能な無線機能付き時計を提供することを目的とする。
【課題を解決するための手段】
【００２４】
本発明は、前述したような従来技術における課題及び目的を達成するために発明されたものであって、本発明の無線機能付き時計は、
無線機能付き時計であって、
ハウジングと、
前記ハウジング内に収容され、外部からの電波を受信するためのアンテナと、
前記ハウジング内に配置された文字板と、
前記文字板に配置された導電性の環状部材と、
前記環状部材に形成され、環状部材を周方向に分断する少なくとも１つのスリットと、を備えることを特徴とする。
【００２５】
このように構成することによって、文字板に配置した導電性の環状部材に、環状部材を周方向に分断するスリットが形成されているので、このスリットによって、環状部材に沿って渦電流が流れるのが分断され、渦電流の発生が阻止されることになる。
【００２６】
これにより、環状部材に流れる渦電流に起因するアンテナの受信感度の低下が阻止されることになり、アンテナの受信感度が向上することになる。
また、環状部材は、外部から密閉されたハウジング内に配置された文字板上に配置されるため、環状部材にスリットを形成した場合にも、ハウジング自体の防水性は低下しない。
【００２７】
本発明における時計ケースを含むハウジングは、金属のような導電性であっても、合成樹脂のような非導電性であってもかまわない。または、ハウジングを構成する部品に、導電性の部品と、非導電性の部品が混在してもかまわない。ハウジングは、少なくとも一部が導電性、または少なくとも一部が非導電性の部材と理解される。導電性、非導電性に係わらず、ハウジング内に配置された導電性の環状部材にスリットが設けられれば、環状部材の渦電流に起因するアンテナの受信感度の低下が回避される。
【００２８】
また、本発明におけるハウジングを構成する部品、例えば、時計ケースにスリットが形成されてもかまわない。または、時計ケースのスリットを排除して、環状部材だけにスリットが形成されてもかまわない。
【００２９】
なお、本発明において、導電性の部材とは、「その部材の素材自体が導電性の部材であるもの」、または、「その部材に導電性の被膜が被覆されたもの」を言う。後者の場合、部材の素材自体は、非導電性の素材であっても、導電性の素材であっても、または、非導電性の素材と導電性の素材の組み合わせであってもよい。
【００３０】
逆に、非導電性の部材とは、「その部材の素材自体が非電性の部材であるもの」、または、「その部材に非電性の被膜が被覆されたもの」を言う。後者の場合、部材の素材自体は、非導電性の素材であっても、導電性の素材であっても、または、非導電性の素材と導電性の素材の組み合わせであってもよい。
【００３１】
環状部材を構成する導電性の材料としては、例えば、金、銀、銅、黄銅、アルミニウム、マグネシウム、亜鉛、チタン、またはこれらの合金などが採用される。また、例えば、チタン合金、ステンレススチール、タンタルカーバイドなどが採用されてもよい。
【００３２】
また、文字板としては、ソーラーセルの発電に寄与する波長の外光を透過する透光機能を有するものであれば特に限定されるものではないが、例えば、合成樹脂、セラミック、ガラス、木材、または、貝などの非導電性材料で構成することによって、外部からの電波がさらにアンテナに到達しやすくなるため、アンテナの受信感度を向上することができる。
【００３３】
また、本発明の無線機能付き時計は、前記スリットが、アンテナの上方近傍に配置されていることを特徴とする。
このようにスリットを、アンテナの上方近傍に配置することによって、アンテナ上方には、電波の受信を妨げる導電性の環状部材が存在しないので、アンテナの受信感度が向上することになる。
【００３４】
また、本発明の無線機能付き時計は、前記スリットが、アンテナの開放両端部に対向して、アンテナの上方近傍に配置された２つのスリットから構成されていることを特徴とする。
【００３５】
このように構成することによって、アンテナの開放両端部に対向する部分には、２つのスリットによって、電波の受信を妨げる導電性の環状部材が存在しないので、これらのスリットを介して、電波がアンテナの開放端部に受信され、アンテナの受信感度が向上することになる。
【００３６】
また、本発明の無線機能付き時計は、前記スリットが、アンテナの少なくとも一方の開放端部に対向して、アンテナの上方近傍に配置されたスリットから構成されていることを特徴とする。
【００３７】
このように構成することによって、アンテナの少なくとも一方の開放両端部に対向する部分には、スリットによって、電波の受信を妨げる導電性の環状部材が存在しないので、このスリットを介して、電波がアンテナの一方の開放端部に受信され、アンテナの受信感度が向上することになる。
【００３８】
また、本発明の無線機能付き時計は、前記環状部材が、ハウジングに対して平面方向に
隙間して配置されていることを特徴とする。
このように構成することによって、環状部材がハウジングと接触すると、ハウジングと環状部材との間に誘導電流が流れて受信感度が低下するが、環状部材がハウジングと接触しないので、このような接触による受信感度の低下を防止することができる。
【００３９】
また、本発明の無線機能付き時計は、前記スリットが、文字板の時計の機能表示を示す指標位置に対応して配置されていることを特徴とする。
このように構成することによって、環状部材にスリットを設けた場合にも、文字板の美観が損なわれないようになっている。例えば、スリットを、１時から１２時までの時刻表示位置に合致するように配置すれば、観察者にとっては不自然に見えず、文字板の美観が損なわれない。
【００４０】
また、本発明の無線機能付き時計は、前記文字板上に、スリット内に配置された時計の機能表示を示す指標部を備えることを特徴とする。
このように文字板上に、例えば、時刻表示などの時計の機能表示を示す指標部がスリット内に配置されていることによって、観察者にとっては不自然に見えず、文字板の美観が損なわれない。
【００４１】
このような機能表示としては、特に限定されるものではないが、例えば、時刻表示、日付表示、曜日表示、月表示、年表示、電池の残量表示、圧力や温度などの外環境測定値の表示、アンテナの受信感度表示、アンテナにおける受信の成否の表示などの時計の機能表示などとすることができる。
【００４２】
また、本発明の無線機能付き時計は、前記スリット内に配置された時計の機能表示を示す指標部が、指標部材であることを特徴とする。
このようにスリット内に、例えば、１２の時刻表示をする指標である指標部材を配置することによって、指標部材が極めて視認されやすくなる。
【００４３】
すなわち、観察者が環状部材を見る場合、観察者の視点は、環状部材に沿って周方向に動き、環状部材上の特定の点に停止しにくくなるが、このように環状部材にスリットがあると、その視点は、環状部材の開放端に留まるので、指標部材が極めて視認されやすくなるからである。
【００４４】
このような指標部材を、文字板上に固定する方法としては、特に限定されるものではないが、例えば、圧入、カシメ、溶接、ロー付、接着剤、粘着剤の中の少なくとも１つの手段によって、文字板上に取り付けることができる。
【００４５】
また、本発明の無線機能付き時計は、前記スリット内に配置された時計の機能表示を示す指標部が、文字板に形成された指標窓部であることを特徴とする。
このようにスリットの間に、文字板を上下に貫通する指標窓部を配置するとともに、文字板の下に表示機構を配置することによって、指標窓部を通して、例えば、日付を表示する日付表示部や、曜日を表示する曜日表示部を視認することができる。
【００４６】
また、本発明の無線機能付き時計は、前記環状部材のスリット内に配置された絶縁部材を備えることを特徴とする。
このように構成することによって、文字板上に配置した導電性の環状部材に、環状部材を周方向に分断するスリットが形成され、このスリット内に絶縁部材が配置されているので、この絶縁部材によって、環状部材に沿って渦電流が流れるのが分断され、渦電流の発生が阻止されることになる。
【００４７】
これにより、環状部材に流れる渦電流に起因するアンテナの受信感度の低下が阻止されることになり、アンテナの受信感度が向上することになる。
さらに、絶縁部材は、外部から密閉されたハウジング内に配置されるため、絶縁部材を配置した場合にも、ハウジング自体の耐衝撃性、耐磨耗性、耐薬品性は低下しない。
【００４８】
また、このようにスリット内に絶縁部材が配置されているので、環状部材の強度が維持されることにもなる。
絶縁部材は、非導電性の素材から成る部材であっても、導電性の素材に非導電性の被膜が被覆された部材であってもよい。非導電性の素材としては、例えば、合成樹脂、ゴム、またはセラミックなどが採用される。導電性の素材としては、上述した環状部材の素材が採用される。
【００４９】
導電性材料の上に被覆される非導電性被膜、すなわち絶縁被膜としては、例えば、アクリル系材料、ウレタン系材料、またはセルロース系材料などの有機材料の絶縁被膜が採用される。また、この絶縁被膜として、例えば、クロム化合物を含むクロム化合物系被膜、または酸化アルミ化合物を含む酸化アルミ系被膜が採用される。
【００５０】
クロム化合物系被膜としては、酸化クロム化合物を含む酸化クロム系被膜、窒化クロム化合物を含む窒化クロム系被膜、炭化クロム化合物を含む炭化クロム系被膜、またはが採用される。
【００５１】
また、絶縁被膜としては、ＤＬＣ（Diamond Like Carbon（ダイヤモンドの様なカーボ
ン））などのように、後述する環状部材と時計ケースとの間、時計ケースとベゼルとの間、またはベゼルと環状部材との間に配置される絶縁領域としてのる絶縁被膜が採用されても良い。
【００５２】
また、絶縁被膜の代わりに、合成樹脂やゴムなどから成る絶縁シートが貼着されてもかまわない。
絶縁部材は、不用意に抜脱しないように環状部材に固定されることが好ましい。この固定手段としては、例えば、嵌合、圧入、接合、インサート成型など、機械的な係合手段が採用される。絶縁部材と環状部材とを接合する接合層としては、例えば、接着剤、粘着剤、または両面テープなどが用いられる。これら接合層は、非導電性の絶縁層であることが好ましい。
【００５３】
また、本発明の無線機能付き時計は、前記絶縁部材が、非導電性の合成樹脂であることを特徴とする。
このように絶縁部材を、非導電性の合成樹脂から構成することによって、環状部材をスリットの部分で確実に絶縁することができ、スリットの大きさや形状に合わせた絶縁部材を、例えば、一体成形などで容易に製造することができる。
【００５４】
また、本発明の無線機能付き時計は、前記絶縁部材の視認面の色調が、環状部材の視認面の色調と同色色調であることを特徴とする。
このように、絶縁部材の視認面の色調を、環状部材の視認面と同色色調となるように構成することによって、絶縁部材が視認されにくくなり、環状部材の美観、時計自体の美観が向上することになる。
【００５５】
ここで、「視認面」とは、外面のうち、観察者に視認される領域を言う。
また、ここで、「同色色調」とは、環状部材と絶縁部材との色調とが、共に同じ色調と認識され得る範囲内にあることを意味し、その色調の濃淡や明暗など、色調の外観上の風合いが完全に一致することに限定されない。例えば、濃い金色、薄い金色、明るい金色、
または暗い金色は、ここではすべて金色の同色色調とされる。
【００５６】
例えば、環状部材が明るい金色色調であり、絶縁部材が暗い金色色調であろうとも、環状部材と絶縁部材の視認面が金色の同色色調を呈すれば、絶縁部材が視認されにくくなり、環状部材の美観、時計自体の美観が向上する。
【００５７】
また、環状部材が、文字板上に配置された装飾用リング、または、文字板上に配置された機能表示を示す指標を備える計測リングである場合に、これらのリングと絶縁部材の視認面の色調とは、これらのリングと絶縁部材の素材そのものの色調であっても、これらのリングと絶縁部材に被覆された被膜の色調であってもよい。このような被膜としては、例えば、塗装被膜、印刷被膜、または乾式めっき被膜などが挙げられる。
【００５８】
なお、環状部材と絶縁部材における、視認面以外の外面が同色色調であってもよく、例えば、環状部材と絶縁部材における外面すべてが同色色調であってもよい。
また、本発明の無線機能付き時計は、前記絶縁部材の視認面の色調が、環状部材の視認面の色調である金属外観と同色色調である金属外観を呈することを特徴とする。
【００５９】
このように、特に、絶縁部材が、導電性素材より成る環状部材と同じような金属外観を呈すれば、絶縁部材が視認されにくくなるばかりか、環状部材に高級観が与えられる。
導電性素材より成る環状部材と同じような金属外観を得るために、例えば、絶縁部材は、環状部材と同色色調のメタリック塗装による塗装被膜に被覆されてもよい。このメタリック塗装被膜として、例えば、メタリック顔料が混入された塗装被膜が採用される。
【００６０】
例えば、ステンレス色を得るためには、鉄、クロム、ニッケル、モリブデンなどを成分とするステンレス顔料が含有された塗装被膜が被覆される。
また、例えば、金色を得るためには、銅、亜鉛、鉄などを成分とするブロンズ顔料が含有された塗装被膜が被覆される。
【００６１】
または、例えば、銀色を得るためには、アルミニウムを成分とするアルミニウム顔料、またはニッケルを成分とするニッケル顔料が含有された塗装被膜が被覆される。
これら以外にも、パール顔料や、グラファイト顔料、フタロシャニンフレークなど、様々な顔料が採用されても良い。
【００６２】
なお、絶縁部材が塗装される工程は以下の通りである。
先ず、絶縁部材の外表面上に下地塗装被膜が被覆される。次いで、この下地塗装被膜の上にメタリック塗装被膜が被覆される。さらに、このメタリック塗装被膜の上に、透明、または半透明な合成樹脂層であるクリアコートが被覆される。このクリアコートにより、メタリック塗装被膜に金属が含有されている場合にも、塗装された絶縁部材の最外表面は、非導電性を維持する。
【００６３】
メタリック塗装被膜に限らず、このような塗装被膜の単層、または積層の非導電性を確保するためには、クリアコートのような、絶縁性の上塗り塗装被膜が最外層として採用されることが好ましい。
【００６４】
このような絶縁塗装被膜としては、例えば、ポリウレタン樹脂塗料、樹脂を形成するポリマー分子中にフッ素が混入されたフッ素樹脂塗料、ポリ塩化ビニル樹脂を可塑剤に分散させた塩ビゾル塗料、オイルフリーポリエステル樹脂をシリコーン中間体により変性させたシリコーンポリエステル樹脂からなるシリコーンポリエステル樹脂塗料、または、オイルフリーポリエステル樹脂、アクリル樹脂塗料、エポキシ樹脂塗料、シリコーンアクリル樹脂塗料、塩化ビニル樹脂塗料、ラッカー、フェノール樹脂塗料、塩化ゴム系塗料などが
採用される。
【００６５】
また、本発明の無線機能付き時計は、前記絶縁部材の視認面の色調が、環状部材の視認面の色調と異色色調であることを特徴とする。
このように、絶縁部材の視認面の色調を、環状部材の視認面の色調と異色色調となるように構成することによって、例えば、この絶縁部材の部分を、美観上、または、何らかの情報を、例えば、時計の携帯者などの観察者に視認し易くすることができる。
【００６６】
ここで、絶縁部材と環状部材とが異色色調であるとは、上記の同色色調と認められない色調の組み合わせを言う。
また、本発明の無線機能付き時計は、前記絶縁部材が、時計の機能表示を示す指標であることを特徴とする。
【００６７】
このように、絶縁部材を、例えば、時刻表示、日付表示、曜日表示、月表示、年表示、電池の残量表示、圧力や温度などの外環境測定値の表示、アンテナの受信感度表示、アンテナにおける受信の成否の表示などの時計の機能表示を示す指標とすることによって、時計の機能表示を、例えば、時計の携帯者などの観察者に示すことができる。
【００６８】
特に、環状部材の視認面の色調と異色色調の絶縁部材を指標にした場合には、このような時計の機能表示を観察者により視認し易くすることができる。
環状部材が金属色調を呈するのであれば、例えば、絶縁部材は、赤、オレンジ、黄色などの目立つ色調を呈することができる。絶縁部材の視認面の色調とは、絶縁部材の素材そのものの色調であっても、絶縁部材に被覆された被膜の色調であってもよい。この被膜としては、例えば、塗装被膜、印刷被膜、または乾式めっき被膜などが挙げられる。
【００６９】
また、本発明の無線機能付き時計は、
前記絶縁部材が、導電性の付加部材を保持し、
前記付加部材が、外方から視認され得るように、かつ環状部材と接触しないように絶縁部材に保持されていることを特徴とする。
【００７０】
このように構成することによって、絶縁部材に保持された導電性の付加部材により、絶縁部材に金属外観が付与されることになるので、環状部材の美観と高級観が向上し、時計自体の美観も向上することになる。
【００７１】
また、付加部材が、環状部材と接触しないように絶縁部材に保持されているので、環状部材に渦電流が発生せず、アンテナの受信感度が向上する。
また、本発明の無線機能付き時計は、前記付加部材の視認面の色調が、環状部材の視認面の色調と同色色調であることを特徴とする。
【００７２】
このように、付加部材の視認面の色調を、環状部材の視認面の色調と同色色調となるように構成することによって、付加部材が視認されにくくなり、環状部材の美観、時計自体の美観が向上することになる。
【００７３】
また、本発明の無線機能付き時計は、前記付加部材の視認面の色調が、環状部材の視認面の色調と異色色調であることを特徴とする。
このように、付加部材の視認面の色調を、環状部材の視認面の色調と異色色調となるように構成することによって、例えば、この付加部材の部分を、美観上、または、何らかの情報を、例えば、時計の携帯者などの観察者に視認し易くすることができる。
【００７４】
また、本発明の無線機能付き時計は、前記付加部材が、時計の機能表示を示す指標であ
ることを特徴とする。
このように、付加部材を、例えば、時刻表示、日付表示、曜日表示、月表示、年表示、電池の残量表示、圧力や温度などの外環境測定値の表示、アンテナの受信感度表示、アンテナにおける受信の成否の表示などの時計の機能表示を示す指標とすることによって、時計の機能表示を、例えば、時計の携帯者などの観察者に示すことができる。
【００７５】
特に、環状部材の視認面の色調と異色色調の付加部材を指標にした場合には、このような時計の機能表示を観察者により視認し易くすることができる。
また、本発明の無線機能付き時計は、前記環状部材と絶縁部材と付加部材の視認面が、略同一平面を形成していることを特徴とする。
【００７６】
このように構成することによって、環状部材と絶縁部材と付加部材とが一体的に視認されるので、環状部材の美観と高級観が向上し、時計自体の美観も向上することになる。
また、環状部材が、文字板上に配置された装飾用リング、または、文字板上に配置された機能表示を示す指標を備える計測リングである場合に、これらのリングの上面から文字板に向けて下方に延びる傾斜面は、時計の機能表示を示す指標を配置する指標面として機能する。
【００７７】
従って、これらのリングと絶縁部材と付加部材のそれぞれ傾斜面が略同一平面を形成していれば、リングに平滑な指標面が形成されるので、指標を読み取りやすくなる。さらに、指標面に指標を印刷して形成する場合、平滑な指標面に極めて容易に指標を印刷することができる。
【００７８】
また、本発明の無線機能付き時計は、前記付加部材が、環状部材と絶縁部材との境界の少なくとも一部を覆う覆い部を備えることを特徴とする。
このように構成することによって、環状部材と絶縁部材との境界が、付加部材の覆い部で隠されて視認されなくなるので、環状部材の美観と高級観がさらに向上する。
【００７９】
また、本発明の無線機能付き時計は、前記付加部材の覆い部と環状部材との間に、絶縁部材より延出する延出部が形成されていることを特徴とする。
このように構成することによって、環状部材と絶縁部材との境界を越えて延びた、導電性の付加部材の覆い部が、絶縁部材の延出部に妨げられて、導電性の環状部材に接触しないことになる。
【００８０】
その結果、導電性である付加部材と環状部材とが確実に絶縁されるので、環状部材に渦電流が生じるのが回避され、アンテナの受信感度が向上することになる。
また、本発明の無線機能付き時計は、前記付加部材が、絶縁部材に形成された凹部内に配置されていることを特徴とする。
【００８１】
このように構成することによって、付加部材が絶縁部材に形成された凹部内に確実に固定することができる。
また、付加部材と絶縁部材の視認面とが略同一平面を形成するように、絶縁部材の凹部内に付加部材を配置することができ、環状部材と絶縁部材と付加部材とが一体的に視認されるので、環状部材の美観と高級観が向上し、時計自体の美観も向上することになる。
【００８２】
また、本発明の無線機能付き時計は、前記スリット内に一定間隔離間して配置された２つの絶縁部材の間に、付加部材が配置されていることを特徴とする。
このように構成することによって、付加部材が２つの絶縁部材の間に確実に固定することができる。
【００８３】
また、付加部材と絶縁部材の視認面とが略同一平面を形成するように、２つの絶縁部材の間に付加部材を配置することができ、環状部材と絶縁部材と付加部材とが一体的に視認されるので、環状部材の美観と高級観が向上し、時計自体の美観も向上することになる。
【００８４】
また、本発明の無線機能付き時計は、前記絶縁部材と付加部材のいずれか一方に突設された係合凸部と、他方に形成された係合孔部とを備え、
前記係合凸部と係合孔部との係合によって、付加部材が絶縁部材に取り付けられていることを特徴とする。
【００８５】
このように構成することによって、係合凸部と係合孔部との係合によって、付加部材を絶縁部材にさらに確実に固定することができる。
また、本発明の無線機能付き時計は、前記絶縁部材が、文字板上面に延出する指標部を備えることを特徴とする。
【００８６】
このように構成することによって、絶縁部材を、時計の機能表示を示す指標として用いられる場合、文字板上面に延出する指標部が、時計の機能表示を明確に指示することになり、時計の携帯者などの観察者が、時計の機能表示を視認しやすくなる。
【００８７】
また、本発明の無線機能付き時計は、前記付加部材が、文字板上面に延出する指標部を備えることを特徴とする。
このように構成することによって、付加部材を、時計の機能表示を示す指標として用いられる場合、文字板上面に延出する指標部が、時計の機能表示を明確に指示することになり、時計の携帯者などの観察者が、時計の機能表示を視認しやすくなる。
【００８８】
また、本発明の無線機能付き時計は、前記絶縁部材が、装飾部材を備えることを特徴とする。
このように構成することによって、絶縁部材に、例えば、宝石や貴石などの輝石からなる装飾部材を備えることによって、環状部材の美観と高級観が向上し、時計自体の美観も向上することになる。
【００８９】
また、本発明の無線機能付き時計は、前記文字板に、複数の径の異なる環状部材が配置されていることを特徴とする。
このように文字板に、複数の径の異なる環状部材が配置されていることによって、装飾性が向上するとともに、異なる機能表示を個々の環状部材に付与することができる。
【００９０】
さらに、これらの複数の環状部材に形成したスリットによって、環状部材に沿って渦電流が流れるのが分断され、渦電流の発生が阻止され、これにより、環状部材に流れる渦電流に起因するアンテナの受信感度の低下が阻止されることになり、アンテナの受信感度が向上することになる。
【００９１】
また、本発明の無線機能付き時計は、前記文字板に、前記複数の径の異なる環状部材が、相互に離間して配置されていることを特徴とする。
このように文字板に、複数の径の異なる環状部材が相互に離間して配置されていることによって、さらに装飾性が向上するとともに、異なる機能表示を個々の環状部材に付与し、視認し易くすることができる。
【００９２】
また、本発明の無線機能付き時計は、前記環状部材が、文字板に配置された装飾用リングであることを特徴とする。
装飾用リングは、文字板上方に配置される環状体であり、文字板下方に配置されるアンテナとの上下方向に沿った距離も短い。従って、導電性の装飾用リングに周方向に沿った
渦電流が生じれば、アンテナの受信感度の低下も大きい。
【００９３】
逆に、このような装飾用リングにスリットが形成されて渦電流が阻止されれば、アンテナの受信感度が大きく改善される。
また、本発明の無線機能付き時計は、前記環状部材が、文字板に配置された機能表示を示す指標を備える計測リングであることを特徴とする。
【００９４】
このような計測リングは、例えば、時刻表示、日付表示、曜日表示、月表示、年表示、電池の残量表示、圧力や温度などの外環境測定値の表示、アンテナの受信感度表示、アンテナにおける受信の成否の表示などの時計の機能表示を示す指標であり、文字板下方に配置されるアンテナとの上下方向に沿った距離も短い。従って、導電性の計測リングに周方向に沿った渦電流が生じれば、アンテナの受信感度の低下も大きい。
【００９５】
逆に、このような装飾用リングにスリットが形成されて渦電流が阻止されれば、アンテナの受信感度が大きく改善される。
また、本発明の無線機能付き時計は、前記環状部材と文字板のいずれか一方に突設された係合凸部と、他方に形成された係合孔部とを備え、
前記係合凸部と係合孔部との係合によって、環状部材が文字板上に取り付けられていることを特徴とする。
【００９６】
このように構成することによって、係合凸部と係合孔部との係合によって、環状部材を文字板上にさらに確実に固定することができる。
また、本発明の無線機能付き時計は、前記環状部材が、圧入、カシメ、溶接、ロー付、接着剤、粘着剤の中の少なくとも１つの手段によって、文字板上に取り付けられていることを特徴とする。
【００９７】
このように環状部材を文字板上に取り付ける方法として、環状部材の種類、寸法、形状に応じて、様々な手段を用いることができる。
また、本発明の無線機能付き時計は、前記環状部材が、文字板上に配置されていることを特徴とする。
【００９８】
また、本発明の無線機能付き時計は、前記環状部材が、文字板内に埋設状態で配置されていることを特徴とする。
このように、環状部材は、文字板上に配置することも、文字板内に埋設状態で配置することもできる。
【００９９】
また、本発明の無線機能付き時計は、前記文字板内に埋設状態で配置された環状部材の少なくとも一方の表面が、文字板の表面と略同一平面となるように配置されていることを特徴とする。
【０１００】
このように構成することによって、例えば、環状部材の上面が、文字板の上面と略同一平面であれば、環状部材と文字板とが一体的に視認されるので、環状部材の美観と高級観が向上し、時計自体の美観も向上することになる。また、例えば、環状部材の下面が、文字板の下面と略同一平面であれば、文字板の下面に凹凸が存在しないので、文字板をソーラーセルなどの駆動機構の上面に配置しやすくなる。
【０１０１】
また、本発明の無線機能付き時計は、前記文字板内に埋設状態で配置された環状部材の少なくとも一方の表面が、文字板の表面から突出するように配置されていることを特徴とする。
【０１０２】
このように構成することによって、例えば、環状部材の上面が、文字板の上面から突出するようにすることによって、環状部材が指標などとして機能する場合に、観察者にとって環状部材を視認し易くなる。また、環状部材の下面を文字板の下面から突出させることによって、例えば、この下方に突出する環状部材を係合凸部として、ソーラセルなどの駆動機構に設けた係合凹部と係合させて組み込みが容易となる。
【０１０３】
また、本発明の無線機能付き時計は、前記文字板内に埋設状態で配置された環状部材が、文字板の厚さ方向に貫通するように配置されていることを特徴とする。
このように構成することによって、文字板を構成する複数の文字板部分（板状部分）の間に介装されることになり、文字板のデザインの多様化が図れるとともに、例えば、金属などの導電性材料で環状部材を作製することによって、文字板自体の機械的強度を向上することができる。
【０１０４】
また、本発明の無線機能付き時計は、前記文字板内に埋設状態で文字板の厚さ方向に貫通するように配置された環状部材で区画された文字板部分が、相互に異なる材料から構成されていることを特徴とする。
【０１０５】
このように構成することによって、文字板のデザインの多様化が図れるとともに、美麗で高級感を有する無線機能付き時計を提供することができる。
【発明の効果】
【０１０６】
本発明によれば、文字板に配置した導電性の環状部材に、環状部材を周方向に分断するスリットが形成されているので、このスリットによって、環状部材に沿って渦電流が流れるのが分断され、渦電流の発生が阻止されることになる。
【０１０７】
これにより、環状部材に流れる渦電流に起因するアンテナの受信感度の低下が阻止されることになり、アンテナの受信感度が向上することになる。
また、本発明によれば、文字板に配置した導電性の環状部材に、環状部材を周方向に分断するスリットが形成され、このスリット内に絶縁部材が配置されているので、この絶縁部材によって、環状部材に沿って渦電流が流れるのが分断され、渦電流の発生が阻止されることになる。
【０１０８】
これにより、環状部材に流れる渦電流に起因するアンテナの受信感度の低下が阻止されることになり、アンテナの受信感度が向上することになる。
また、このようにスリット内に絶縁部材が配置されているので、環状部材の強度が維持されることにもなる。
【０１０９】
さらに、環状部材が、文字板に配置された装飾用リング、または、文字板に配置された機能表示を示す指標を備える計測リングである場合に、環状部材を周方向に分断するスリットが形成されているので、このスリットによって、環状部材に沿って渦電流が流れるのが分断され、渦電流の発生が阻止されるとともに、例えば、時刻表示、日付表示、曜日表示、月表示、年表示、電池の残量表示、圧力や温度などの外環境測定値の表示、アンテナの受信感度表示、アンテナにおける受信の成否の表示などの時計の機能表示を示す指標を構成することができる。
【発明を実施するための最良の形態】
【０１１０】
以下、本発明の実施の形態（実施例）を図面に基づいてより詳細に説明する。
（実施例１）
図１は、本発明の無線機能付き時計の実施例の分解斜視図、図２は、図１の無線機能付き時計の組み立てた状態のＡ−Ａ線方向の部分拡大断面図である。
【０１１１】
図１〜図２において、符号１０は、全体で本発明の無線機能付き時計を示している。
なお、本発明で言う「無線機能付き時計」とは、例えば、パソコン通信機能、携帯電話機能や非接触式ＩＣカード機能などの無線機能を備える時計、時刻情報を含む長波標準電波（搬送波）を受信し、その時刻情報に基づいて時刻を修正する無線機能を備えた電波時計、これらの無線機能のいずれかを組み合わせて構成した時計を含むものであり、その他の無線機能を含んでもよいことは勿論である。
【０１１２】
図１〜図２に示したように、本発明の無線機能付き時計１０は、ハウジング１２を備えている。
このハウジング１２は、金属製の略円筒形状の枠体を構成する時計ケース１４と、時計ケース１４の下面開口部を覆うように密封状態で装着される金属製の裏蓋１６と、この時計ケースの上面開口部を覆うように、密封状態で装着される風防（ガラス）１８とを備えている。
【０１１３】
なお、ハウジング１２は、このように裏蓋１６を有する場合の他、裏蓋１６と時計ケース１４とが一体になった時計ケース１４である場合、裏蓋１６もガラスである場合など、様々な場合を含むものである。
【０１１４】
このハウジング１２内には、時計駆動部を構成するムーブメント２０と、このムーブメント２０の上面に配置され、ムーブメント２０を光の起電力によって駆動するためのソーラーセル２２を備えている。
【０１１５】
また、このソーラーセル２２の上面には、ソーラーセルの発電に寄与する波長の外光を、少なくともムーブメント２０の駆動に足るだけ透過させる透光機能を有する文字板２４を備えている。
【０１１６】
さらに、このムーブメント２０の側部下方の小径部２０ａには、標準電波を受信するためのアンテナ２６が付設されている。
なお、この実施例では、アンテナ２６は、コアとなる棒状の磁芯部材と、この磁芯部材の外周に巻かれたコイルとより成るバーアンテナとして図示しているが、その他の構成のアンテナ部材から構成することも勿論可能である。
【０１１７】
なお、文字板２４は、ソーラーセルの発電に寄与する波長の外光を透過する透光機能を有するものであれば特に限定されるものではないが、例えば、合成樹脂、セラミック、ガラス、木材、または、貝などの非導電性材料で構成することによって、外部からの電波がさらにアンテナ２６に到達しやすくなるため、アンテナの受信感度を向上することができる。
【０１１８】
さらに、時計ケース１４は、外方に突出する２組のバンド取り付け部２８を備えており、これらのバンド取り付け部２８にはそれぞれ、互いに対向するように、一定間隔離間して配置され、時計ケース１４より延設された脚部３０を備えている。
【０１１９】
そして、これらの脚部３０のそれぞれの間に、図示しない腕時計のバンドそれぞれが連結されるようになっている。
なお、ムーブメント２０より突出して、ソーラーセル２２と文字板２４とを貫通する針軸３１には、図示しないが、分針と時針とが配置される。これら分針と時針とは、文字板２４と風防１８との間に位置して時刻を表示するようになっている。
【０１２０】
また、時計ケース１４の内周側には、時計ケース１４のフランジ部３２が、環状に突設
されており、このフランジ部３２の内周側に、文字板２４上に、導電性の環状部材を構成する装飾用リング３６が装着されている。
【０１２１】
なお、この場合、図２に示したように、装飾用リング３６が、ハウジングを構成する時計ケース１４に対して平面方向に隙間して配置されている。
このように構成することによって、装飾用リング３６が時計ケース１４と接触すると、時計ケース１４と装飾用リング３６との間に誘導電流が流れて受信感度が低下するが、装飾用リング３６が時計ケース１４と接触しないので、このような接触による受信感度の低下を防止することができる。
【０１２２】
なお、この実施例では、時計ケース１４、装飾用リング３６とも、円環状であるが、矩形枠状とするなどその形状は適宜変更することが可能である。
この装飾用リング３６は、図２に示したように、文字板２４上に配置される装飾用リング本体部３８を備えており、この装飾用リング本体部３８から、装飾用リング本体部３８の下面に係合凸部３８ａが形成されている。そして、この係合凸部３８ａに対応して、文字板２４に上下方向に貫通する係合孔部２４ａが形成されており、係合凸部３８ａと係合孔部２４ａとの係合によって、装飾用リング３６が文字板２４に取り付けられるようになっている。なお、この場合、係合孔部２４ａの代わりに、係合用の凹部とすることも可能である。
【０１２３】
このように構成することによって、係合凸部３８ａと係合孔部２４ａとの係合によって、環状部材である装飾用リング３６を文字板２４の上にさらに確実に固定することができる。
【０１２４】
なお、装飾用リング３６を文字板２４の上に固定する方法としては、このような係合凸部３８ａと係合孔部２４ａとの係合に限定されるものではなく、例えば、圧入、カシメ、溶接、ロー付、接着剤、粘着剤などを採用することができ、このように装飾用リング３６を文字板２４の上に取り付ける方法として、装飾用リング３６の種類、寸法、形状に応じて、様々な手段を用いることができる。
【０１２５】
なお、装飾用リング３６の内面側は、下方に向かって径が小さくなるテーパー面４２が形成され、このテーパー面４２上に、図示しないが、また、時字などの指標が形成されている。
【０１２６】
また、この時計ケース１４のフランジ部３２の上端には、風防１８を密封状態で固定するための固定（防水）パッキン４６が介装されている。
一方、裏蓋１６には、内側に突設する中子部材４８が形成されており、この中子部材４８の外周側には、離間して形成された複数の係合突設部５０が突設されている。そして、時計ケース１４の下端近傍の内周側には、この裏蓋１６の中子部材４８の係合突設部５０が嵌合する係合用凹部５２が形成されている。
【０１２７】
また、ムーブメント２０の側部上方の大径部２０ｂと、中子部材４８の上端部との間には、支持枠５４が介装されている。
このように構成することによって、裏蓋１６の中子部材４８の係合突設部５０を、時計ケース１４の下端近傍の内周側の係合用凹部５２に係合することによって、時計ケース１４の内周側に形成されたフランジ形状のフランジ部３２と、裏蓋１６の中子部材４８の上端部との間で、支持枠５４を介して、ムーブメント２０、ソーラーセル２２、文字板２４が、時計ケース１４の内部に固定され、収容されるようになっている。
【０１２８】
支持枠５４は、合成樹脂などの非導電性材料から成る。ハウジングの一部を構成する時
計ケース１４がステンレスのような導電性材料からなる場合は、支持枠５４は、導電性の時計ケース１４とアンテナ２６との平面方向に沿った隙間を確保し、アンテナ２６の受信性能を高く維持する。
【０１２９】
なお、図２において、符号５１は、裏蓋１６と時計ケース１４との間を、密封状態で封止するための防水パッキンである。
なお、環状部材である装飾用リング３６を構成する導電性の材料としては、例えば、金、銀、銅、黄銅、アルミニウム、マグネシウム、亜鉛、チタン、または、これらの合金などを採用することができる。また、例えば、チタン合金、ステンレススチール、タンタルカーバイドなどを採用することもできる。
【０１３０】
ところで、このような無線機能付き時計１０においては、アンテナ２６が電波を受信する際に、導電性の装飾用リング３６において、その環状壁の周方向に沿った渦電流が誘導電流として流れることになる。
【０１３１】
この渦電流が、ハウジング１２の外部からの電波を相殺してしまい、アンテナ２６の受信感度が極めて低下してしまうことになる。
このような現象を回避するために、本発明の無線機能付き時計１０においては、装飾用リング３６の環状壁には、装飾用リング３６を周方向に分断するスリット５６が形成されている。
【０１３２】
このように構成することによって、時計ケース内１４に収容した導電性の環状部材である装飾用リング３６を周方向に分断するスリット５６が形成されているので、このスリット５６によって、環状の装飾用リング３６に沿って渦電流が流れるのが分断され、渦電流の発生が阻止されることになる。
【０１３３】
これにより、装飾用リング３６に流れる渦電流に起因するアンテナ２６の受信感度の低下が阻止されることになり、アンテナ２６の受信感度が向上することになる。
なお、図示しないが、このスリット５６を、文字板２４の時計の機能表示を示す指標位置に対応して配置するのが望ましい。
【０１３４】
このように構成することによって、装飾用リング３６にスリットを設けた場合にも、文字板２４の美観が損なわれないようになっている。例えば、スリット５６を、１時から１２時までの時刻表示位置に合致するように配置すれば、観察者にとっては不自然に見えず、文字板２４の美観が損なわれない。
【０１３５】
また、この場合、装飾用リング３６に形成されるスリット５６の数、形成位置としては、特に限定されるものではないが、下記のように形成するのが、それぞれの理由から好ましいものである。
【０１３６】
すなわち、図３に示した実施例では、スリット５６が、アンテナ２６の上方近傍に配置されている。
このようにスリット５６を、アンテナ２６の上方近傍に配置することによって、アンテナ２６の上方には、電波の受信を妨げる導電性の環状部材である装飾用リング３６が存在しないので、アンテナの受信感度が向上することになる。
【０１３７】
また、図４に示した実施例では、スリット５６が、アンテナ２６の開放両端部２６ａ、２６ｂに対向して、アンテナ２６の上方近傍に配置された２つのスリット５６ａ、５６ｂから構成されている。
【０１３８】
このように構成することによって、アンテナ２６の開放両端部２６ａ、２６ｂに対向する部分には、２つのスリット５６ａ、５６ｂによって、電波の受信を妨げる導電性の環状部材である装飾用リング３６が存在しないので、これらのスリット５６ａ、５６ｂを介して、電波がアンテナ２６の開放両端部２６ａ、２６ｂに受信され、アンテナの受信感度が向上することになる。
【０１３９】
また、図５に示した実施例では、スリット５６が、アンテナ２６の少なくとも一方の開放端部２６ａに対向して（図５では説明の便宜上２６ａに対向して設けた場合を示している）、アンテナ２６の上方近傍に配置されたスリット５６ａから構成されている。
【０１４０】
このように構成することによって、アンテナ２６の少なくとも一方の開放端部２６ａに対向する部分には、スリット５６ａによって、電波の受信を妨げる導電性の環状部材である装飾用リング３６が存在しないので、このスリット５６ａを介して、電波がアンテナ２６の一方の開放端部２６ａに受信され、アンテナ２６の受信感度が向上することになる。
【０１４１】
さらに、図６に示したように、文字板２４の上に、複数の径の異なる環状部材である装飾用リング３６、３６を配置することもできる。
このように文字板２４の上に、複数の径の異なる装飾用リング３６が配置されていることによって、装飾性が向上するとともに、異なる機能表示を個々の環状部材に付与することができる。
【０１４２】
さらに、これらの複数の装飾用リング３６に形成したスリットによって、装飾用リング３６に沿って渦電流が流れるのが分断され、渦電流の発生が阻止され、これにより、環状部材に流れる渦電流に起因するアンテナの受信感度の低下が阻止されることになり、アンテナの受信感度が向上することになる。
【０１４３】
また、この場合には、図６に示したように、複数の径の異なる環状部材が、複数の径の異なる環状部材である装飾用リング３６、３６を、相互に離間して配置するのが好ましい。
【０１４４】
このように文字板上に、複数の径の異なる装飾用リング３６、３６が相互に離間して配置されていることによって、さらに装飾性が向上するとともに、異なる機能表示を個々の装飾用リング３６、３６に付与し、視認し易くすることができる。
【０１４５】
なお、この場合にも、スリット５６の位置としては、図６に示したように、アンテナ２６の上方近傍に配置することも、図４と同様に、スリット５６が、アンテナ２６の開放両端部２６ａ、２６ｂに対向して、アンテナ２６の上方近傍に配置された２つのスリット５６ａ、５６ｂから構成することも、図５と同様に、スリット５６が、アンテナ２６の少なくとも一方の開放端部２６ａに対向して、アンテナ２６の上方近傍に配置されたスリット５６ａから構成することも可能である。
【０１４６】
さらに、このように文字板２４の上に、複数の径の異なる環状部材を配置する数、形状としては特に限定されるものではなく、また、環状部材として、装飾用リング３６と、下記に説明する計測リング８２を組み合わせることも可能である。
（実施例２）
図７は、本発明の別の実施例の無線機能付き時計１０の文字板２４と文字板２４上に配置した装飾用リング３６を示す部分拡大斜視図である。
【０１４７】
この実施例の無線機能付き時計１０は、図１〜図２に示した無線機能付き時計１０と基本的には同様な構成であり、同一の構成部材には、同一の参照番号を付して、その詳細な
説明を省略する。
【０１４８】
この実施例の無線機能付き時計１０では、スリット５６が、文字板２４の時計の機能表示を示す指標位置に対応して配置されている。
すなわち、この実施例の無線機能付き時計１０では、１２時の時刻表示位置に合致するようにスリット５６が配置されているとともに、スリット５６内に時計の機能表示を示す指標部である指標部材６０が配置されている。
【０１４９】
このように構成することによって、環状部材である装飾用リング３６にスリット５６を設けた場合にも、文字板２４の美観が損なわれないようになっている。例えば、スリットを、１時から１２時までの時刻表示位置に合致するように配置すれば、観察者にとっては不自然に見えず、文字板の美観が損なわれない。
【０１５０】
しかも、このように文字板上に、例えば、時刻表示などの時計の機能表示を示す指標部である指標部材６０がスリット５６内に配置されていることによって、観察者にとっては不自然に見えず、文字板２４の美観が損なわれないようになっている。
【０１５１】
また、このようにスリット内に、例えば、１２の時刻表示をする指標である指標部材６０を配置することによって、指標部材６０が極めて視認されやすくなる。
すなわち、観察者が環状部材である装飾用リング３６を見る場合、観察者の視点は、装飾用リング３６に沿って周方向に動き、装飾用リング３６上の特定の点に停止しにくくなるが、このように装飾用リング３６にスリットがあると、その視点は、装飾用リング３６の開放端に留まるので、指標部材６０が極めて視認されやすくなるからである。
【０１５２】
このような機能表示としては、特に限定されるものではないが、例えば、時刻表示、日付表示、曜日表示、月表示、年表示、電池の残量表示、圧力や温度などの外環境測定値の表示、アンテナの受信感度表示、アンテナにおける受信の成否の表示などの時計の機能表示などとすることができる。
【０１５３】
このような指標部材６０を、文字板上に固定する方法としては、特に限定されるものではないが、上記の実施例１で説明したように、装飾用リング３６を文字板２４に固定する方法と同様に、例えば、圧入、カシメ、溶接、ロー付、接着剤、粘着剤の中の少なくとも１つの手段によって、文字板上に取り付けることができる。
【０１５４】
なお、この実施例では、この指標部を、指標部材６０としたが、文字板２４上に印刷によって設けた指標部材６０とすることも可能である。
（実施例３）
図８は、本発明の別の実施例の無線機能付き時計１０の文字板２４と文字板２４上に配置した装飾用リング３６を示す部分拡大斜視図である。
【０１５５】
この実施例の無線機能付き時計１０は、図１〜図２に示した無線機能付き時計１０と基本的には同様な構成であり、同一の構成部材には、同一の参照番号を付して、その詳細な説明を省略する。
【０１５６】
この実施例の無線機能付き時計１０では、装飾用リング３６のスリット内に配置された時計の機能表示を示す指標部が、文字板２４に形成された指標窓部６２である。
すなわち、スリット５６の間に、文字板２４を上下に貫通する指標窓部６２を配置するとともに、文字板２４の下に、図示しないが、表示機構を配置することによって、指標窓部６２を通して、例えば、日付を表示する日付表示部や、曜日を表示する曜日表示部を視認することができる。
【０１５７】
この場合にも、スリット５６の間に、指標窓部６２が配置されているので、観察者の視点が、装飾用リング３６の開放端に留まるので、指標窓部６２を介して、日付表示部などの表示部が極めて視認されやすくなる。
（実施例４）
図９は、本発明の別の実施例の無線機能付き時計１０の文字板２４と文字板２４上に配置した装飾用リング３６を示す部分拡大斜視図で、スリット５６内に絶縁部材６４を装着する状態を説明する部分拡大斜視図、図１０は、図９の無線機能付き時計１０において、スリット５６内に絶縁部材６４を装着した状態を説明する部分拡大斜視図である。
である。
【０１５８】
この実施例の無線機能付き時計１０は、図１〜図２に示した無線機能付き時計１０と基本的には同様な構成であり、同一の構成部材には、同一の参照番号を付して、その詳細な説明を省略する。
【０１５９】
この実施例の無線機能付き時計１０では、環状部材である装飾用リング３６のスリット５６内に配置された絶縁部材６４を備えている。
すなわち、図９に示したように、絶縁部材６４は、その断面が、装飾用リング３６の断面と略同一形状となっており、スリット５６内に装着することができるようになっている。
【０１６０】
このように構成することによって、時計ケース１４内に収容した導電性の装飾用リング３６に、装飾用リング３６を周方向に分断するスリット５６が形成され、このスリット５６内に絶縁部材６４が配置されているので、この絶縁部材６４によって、装飾用リング３６に沿って渦電流が流れるのが分断され、渦電流の発生が阻止されることになる。
【０１６１】
これにより、環状部材に流れる渦電流に起因するアンテナ２６の受信感度の低下が阻止されることになり、アンテナ２６の受信感度が向上することになる。
また、このようにスリット５６内に絶縁部材６４が配置されているので、装飾用リング３６の強度が維持されることにもなる。
【０１６２】
また、絶縁部材６４の断面が、装飾用リング３６の断面と略同一形状となっているので、絶縁部材６４の視認面が、装飾用リング３６の視認面と略同一平面を形成していることになる。
【０１６３】
従って、絶縁部材６４の視認面が、装飾用リング３６とが一体的に視認されるので、装飾用リング３６の美観と高級観が向上し、時計自体の美観も向上することになる。
また、装飾用リング３６の上面３６ａから文字板２４に向けて下方に延びる傾斜面３６ｂは、時計の機能表示を示す指標を配置する指標面として機能する。
【０１６４】
従って、装飾用リング３６と絶縁部材６４のそれぞれ傾斜面３６ｂ、６４ｂが略同一平面を形成していれば、装飾用リング３６に平滑な指標面が形成されるので、指標を読み取りやすくなる。さらに、指標面に指標を印刷して形成する場合、平滑な指標面に極めて容易に指標を印刷することができる。
【０１６５】
この場合、絶縁部材６４を構成する絶縁材料としては、特に限定されるものではないが、例えば、合成樹脂、ゴム、または、セラミックなどの非導電性の絶縁材料を採用することができる。
【０１６６】
また、導電性の素材に、非導電性の被膜が被覆された部材とすることも可能である。こ
の場合、絶縁部材６４を構成する導電性材料としては、装飾用リング３６を構成する導電性の材料と同様に、例えば、金、銀、銅、黄銅、アルミニウム、マグネシウム、亜鉛、チタン、または、これらの合金などを採用することができる。また、例えば、チタン合金、ステンレススチール、タンタルカーバイドなどを採用することもできる。
【０１６７】
そして、この絶縁部材を構成する導電性材料に被覆される非導電性の被膜としては、すなわち絶縁被膜としては、例えば、非導電性の塗装被膜、非導電性の印刷被膜、非導電性の乾式メッキ被膜が挙げられる。
【０１６８】
また、このような絶縁被膜としては、例えば、
・ＤＬＣ（Diamond Like Carbon（ダイヤモンドの様なカーボン））などのＣＶＤ被膜、
・アクリル系材料、ウレタン系材料、または、セルロース系材料などの有機材料の絶縁被膜、
・クロム化合物を含むクロム化合物系被膜、または、酸化アルミ化合物を含む酸化アルミ系被膜、
などを採用することができる。
【０１６９】
なお、クロム化合物系被膜としては、例えば、酸化クロム化合物を含む酸化クロム系被膜、窒化クロム化合物を含む窒化クロム系被膜、炭化クロム化合物を含む炭化クロム系被膜を採用することができる。
【０１７０】
また、このような絶縁被膜の代わりに、合成樹脂やゴムなどから成る絶縁シートが絶縁部材を構成する導電性材料に貼着された絶縁部材であってもかまわない。
この場合、絶縁部材６４が、非導電性の合成樹脂であれば、装飾用リング３６をスリット５６の部分で確実に絶縁することができ、スリット５６の大きさや形状に合わせた絶縁部材６４を、例えば、一体成形などで容易に製造することができる。
【０１７１】
また、絶縁部材６４は、不用意に装飾用リング３６のスリット５６から脱落しないように、装飾用リング３６に固定されることが好ましい。この固定手段としては、例えば、嵌合、圧入、接合、インサート成型など、機械的な係合手段を採用することができる。
【０１７２】
また、絶縁部材６４の視認面の色調が、装飾用リング３６の視認面の色調と同色色調とすることもできる。
このように、絶縁部材６４の視認面の色調を、装飾用リング３６の視認面の色調と同色色調となるように構成することによって、絶縁部材６４が視認されにくくなり、環状部材の美観、時計自体の美観が向上することになる。なお、「視認面」とは、外面のうち、観察者に視認される領域を言う。
【０１７３】
また、絶縁部材６４の視認面の色調が、装飾用リング３６の視認面の色調と異色色調とすることもできる。
このように、絶縁部材６４の視認面の色調を、装飾用リング３６の視認面の色調と異色色調となるように構成することによって、例えば、この絶縁部材６４の部分を、美観上、または、何らかの情報を、例えば、時計の携帯者などの観察者に視認し易くすることができる。
【０１７４】
この場合、『同色色調』とは、「同色色調」とは、環状部材と絶縁部材との色調とが、共に同じ色調と認識され得る範囲内にあることを意味し、その色調の濃淡や明暗など、色調の外観上の風合いが完全に一致することに限定されない。
【０１７５】
なお、装飾用リング３６と絶縁部材６４の視認面の色調とは、装飾用リング３６と絶縁
部材６４の素材そのものの色調であっても、装飾用リング３６と絶縁部材６４に被覆された被膜の色調であってもよい。
【０１７６】
従って、『異色色調』とは、このような装飾用リング３６と絶縁部材６４の視認面の色調が、上記の同色色調と認められない色調の組み合わせを言う。
さらに、絶縁部材６４を、時計の機能表示を示す指標とすることもできる。
【０１７７】
このように、絶縁部材６４を、例えば、時刻表示、日付表示、曜日表示、月表示、年表示、電池の残量表示、圧力や温度などの外環境測定値の表示、アンテナの受信感度表示、アンテナにおける受信の成否の表示などの時計の機能表示を示す指標とすることによって、時計の機能表示を、例えば、時計の携帯者などの観察者に示すことができる。
【０１７８】
特に、装飾用リング３６の視認面の色調と異色色調の絶縁部材６４を指標にした場合には、このような時計の機能表示を観察者により視認し易くすることができる。
この場合、絶縁部材６４の数、形成位置としては、図１〜図２の実施例のスリット５６と同様に、
・図３に示した実施例のように、絶縁部材６４を、アンテナ２６の上方近傍に配置する方法、
・図４に示した実施例のように、絶縁部材６４を、アンテナ２６の開放両端部２６ａ、２６ｂに対向して、アンテナ２６の上方近傍に配置された２つの絶縁部材６４から構成する方法、
・図５に示した実施例のように、絶縁部材６４を、アンテナ２６の少なくとも一方の開放端部２６ａに対向して、アンテナ２６の上方近傍に配置された絶縁部材６４から構成する方法、
などを採用することができる。
（実施例５）
図１１は、本発明の別の実施例の無線機能付き時計１０の図１０と同様な部分拡大斜視図で、２つのスリット５６の間に導電性のパーツ部材６５を介装した状態を説明する部分拡大斜視図である。
【０１７９】
この実施例の無線機能付き時計１０は、図１〜図２に示した無線機能付き時計１０と基本的には同様な構成であり、同一の構成部材には、同一の参照番号を付して、その詳細な説明を省略する。
【０１８０】
この実施例の無線機能付き時計１０では、装飾用リング３６に形成された２つの離間したスリット５６、５６が形成されており、このスリット５６、５６を画成するように、導電性のパーツ部材６５が介装されている。
【０１８１】
そして、このパーツ部材６５を挟んだ状態で、絶縁部材６６、６６が、２つのスリット５６、５６に装着されている。
なお、この絶縁部材６６、６６としては、上記の実施例３と同様な絶縁部材から構成することができる。また、この絶縁部材６６、６６としては、パーツ部材６５と装飾用リング３６とを接合するための非導電性の接合層とすることができる。
【０１８２】
このような非導電性の接合層としては、例えば、非導電性の粘着層や非導電性の接着層を採用することができる。例えば、合成樹脂などの非導電性材料を含む粘着層や接着層を採用することができる。この場合、非導電性の粘着層としては、例えば、両面テープを採用することができる。
【０１８３】
この場合、導電性のパーツ部材６５の形状としては、２つのスリット５６、５６で分断
されて、装飾用リング３６から切り離されたような形状とするのが好ましい。すなわち、装飾用リング３６に２つの絶縁部材６６、６６を介して、パーツ部材６５を組み合わせた際に、装飾用リング３６と、２つの絶縁部材６６、６６と、パーツ部材６５が、一体の環状の装飾用リング３６として視認されるため、環装飾用リング３６の美観と高級観が向上し、時計自体の美観も向上することになるからである。
【０１８４】
この場合、導電性のパーツ部材６５としては、を構成する材料としては、特に限定されるものではなく、装飾用リング３６と同様な材料などを用いることができる。
この場合、２つの絶縁部材６６、６６と、パーツ部材６５の視認面の色調が、装飾用リング３６の視認面の色調と同色色調とすることができる。
【０１８５】
このように、２つの絶縁部材６６、６６と、パーツ部材６５の視認面の色調が、装飾用リング３６の視認面の色調と同色色調となるように構成することによって、２つの絶縁部材６６、６６と、パーツ部材６５が視認されにくくなり、装飾用リング３６の美観、時計自体の美観が向上することになる。
【０１８６】
また、２つの絶縁部材６６、６６と、パーツ部材６５の視認面の色調が、装飾用リング３６の視認面の色調と異色色調とすることもできる。
このように、２つの絶縁部材６６、６６と、パーツ部材６５の視認面の色調が、装飾用リング３６の視認面の色調と異色色調となるように構成することによって、例えば、この２つの絶縁部材６６、６６と、パーツ部材６５の部分を、美観上、または、何らかの情報を、例えば、時計の携帯者などの観察者に視認し易くすることができる。
【０１８７】
また、２つの絶縁部材６６、６６と、パーツ部材６５を、時計の機能表示を示す指標とすることもできる。
すなわち、２つの絶縁部材６６、６６と、パーツ部材６５を、例えば、時刻表示、日付表示、曜日表示、月表示、年表示、電池の残量表示、圧力や温度などの外環境測定値の表示、アンテナの受信感度表示、アンテナにおける受信の成否の表示などの時計の機能表示を示す指標とすることによって、時計の機能表示を、例えば、時計の携帯者などの観察者に示すことができる。
【０１８８】
この場合、２つの絶縁部材６６、６６と、パーツ部材６５自体を、時計の機能表示を示す指標として用いられてもよい。
また、２つの絶縁部材６６、６６と、パーツ部材６５の視認面に、このような指標が形成されてもよい。また、２つの絶縁部材６６、６６と、パーツ部材６５は、ブランド名、メーカー名、商品名などを表すマークやエンブレムなどの商品表示部材であってもよい。
【０１８９】
なお、２つの絶縁部材６６、６６と、パーツ部材６５の色調などを、上記のような組み合わせを適宜選択して用いることができることは勿論である。
なお、この実施例では、２つのスリット５６、５６に、２つの絶縁部材６６、６６を装着したが、上記の実施例１と同様に、２つの絶縁部材６６、６６を装着せずに、２つのスリット５６、５６の状態のままとすることも可能である。
（実施例６）
図１２は、本発明の別の実施例の無線機能付き時計１０の文字板２４と文字板２４上に配置した装飾用リング３６を示す部分拡大斜視図で、スリット５６内に絶縁部材６８、付加部材７０を装着する状態を説明する部分拡大斜視図、図１３は、図１２の無線機能付き時計１０において、スリット５６内に絶縁部材６８、付加部材７０を装着した状態を説明する部分拡大断面図である。
【０１９０】
この実施例の無線機能付き時計１０は、図１〜図２に示した無線機能付き時計１０と基
本的には同様な構成であり、同一の構成部材には、同一の参照番号を付して、その詳細な説明を省略する。
【０１９１】
この実施例の無線機能付き時計１０では、絶縁部材６８が、導電性の付加部材７０を保持しており、この付加部材７０が、外方から視認され得るように、かつ環状部材である装飾用リング３６と接触しないように絶縁部材６８に保持されている。
【０１９２】
具体的には、付加部材７０が、絶縁部材６８に形成された凹部６８ｃ内に配置され、付加部材７０が絶縁部材６８に形成された凹部６８ｃ内に確実に固定することができるようになっている。
【０１９３】
なお、付加部材７０は、不用意に絶縁部材６８の凹部６８ｃから脱落しないように絶縁部材６８に固定されることが好ましい。この固定手段としては、例えば、嵌合、圧入、接合、インサート成型など、機械的な係合手段が採用される。絶縁部材６８と付加部材７０とを接合する接合層には、例えば、接着剤、粘着材、または両面テープなどが用いられる。
【０１９４】
このように構成することによって、絶縁部材６８に保持された導電性の付加部材７０により、絶縁部材６８に金属外観が付与されることになるので、装飾用リング３６の美観と高級観が向上し、時計自体の美観も向上することになる。
【０１９５】
また、付加部材７０が、装飾用リング３６と接触しないように絶縁部材６８に保持されているので、装飾用リング３６に渦電流が発生せず、アンテナ２６の受信感度が向上する。
【０１９６】
この場合、付加部材７０の視認面の色調が、装飾用リング３６の視認面の色調と同色色調とすることができる。
このように、付加部材７０の視認面の色調が、装飾用リング３６の視認面の色調と同色色調となるように構成することによって、付加部材７０が視認されにくくなり、装飾用リング３６の美観、時計自体の美観が向上することになる。
【０１９７】
また、付加部材７０の視認面の色調が、装飾用リング３６の視認面の色調と異色色調とすることもできる。
このように、付加部材７０の視認面の色調が、装飾用リング３６の視認面の色調と異色色調となるように構成することによって、例えば、この付加部材７０の部分を、美観上、または、何らかの情報を、例えば、時計の携帯者などの観察者に視認し易くすることができる。
【０１９８】
また、付加部材７０を、時計の機能表示を示す指標とすることもできる。
すなわち、付加部材７０を、例えば、時刻表示、日付表示、曜日表示、月表示、年表示、電池の残量表示、圧力や温度などの外環境測定値の表示、アンテナの受信感度表示、アンテナにおける受信の成否の表示などの時計の機能表示を示す指標とすることによって、時計の機能表示を、例えば、時計の携帯者などの観察者に示すことができる。
【０１９９】
この場合、図１４に示したように、付加部材７０自体を、時計の機能表示を示す指標７２として用いられてもよい。
また、付加部材７０の視認面に、このような指標が形成されてもよい。また、付加部材７０は、ブランド名、メーカー名、商品名などを表すマークやエンブレムなどの商品表示部材であってもよい。
【０２００】
さらに、図１５に示したように、付加部材７０は、観る者に美感を起こさせる装飾部材７４であってもよい。
このように構成することによって、絶縁部材６８に、例えば、宝石や貴石などの輝石からなる装飾部材７４を備えることによって、環状部材の美観と高級観が向上し、時計自体の美観も向上することになる。
【０２０１】
また、図１６に示したように、付加部材７０を、時刻表示などの表示を示す時刻表示部材７１とすることも可能である。
また、特に、装飾用リング３６の視認面の色調と異色色調の付加部材７０を指標にした場合には、このような時計の機能表示を観察者により視認し易くすることができる。
【０２０２】
また、装飾用リング３６と絶縁部材６８と付加部材７０の視認面が、略同一平面を形成するようにすることもできる。
このように構成することによって、装飾用リング３６と絶縁部材６８と付加部材７０とが一体的に視認されるので、環状部材の美観と高級観が向上し、時計自体の美観も向上することになる。
【０２０３】
また、装飾用リング３６の上面３６ａから文字板２４に向けて下方に延びる傾斜面３６ｂは、時計の機能表示を示す指標を配置する指標面として機能する。
従って、装飾用リング３６と絶縁部材６８と付加部材７０のそれぞれ傾斜面３６ｂ、６８ｂ、７０ｂが略同一平面を形成していれば、装飾用リング３６に平滑な指標面が形成されるので、指標を読み取りやすくなる。さらに、指標面に指標を印刷して形成する場合、平滑な指標面に極めて容易に指標を印刷することができる。
【０２０４】
特に、付加部材７０と絶縁部材６８の視認面とが略同一平面を形成するように、絶縁部材６８の凹部内７８ｃに付加部材７０を配置することができ、装飾用リング３６と絶縁部材６８と付加部材７０とが一体的に視認されるので、装飾用リング３６の美観と高級観が向上し、時計自体の美観も向上することになる。
【０２０５】
なお、付加部材７０を構成する材料としては、特に限定されるものではなく、装飾用リング３６と同様な材料などを用いることができる。
（実施例７）
図１７は、本発明の別の実施例の無線機能付き時計１０の図９と同様な部分拡大斜視図で、スリット５６内に絶縁部材６８、付加部材７０を装着する状態を説明する部分拡大斜視図、図１８は、図１７の無線機能付き時計１０において、スリット５６内に絶縁部材６８、付加部材７０を装着した状態を説明する部分拡大断面図である。
【０２０６】
この実施例の無線機能付き時計１０は、図１〜図２に示した無線機能付き時計１０と基本的には同様な構成であり、同一の構成部材には、同一の参照番号を付して、その詳細な説明を省略する。
【０２０７】
この実施例の無線機能付き時計１０では、スリット５６内に一定間隔離間して配置された２つの絶縁部材６８、７８の間に、付加部材７０が配置されている。
このように構成することによって、付加部材７０が２つの絶縁部材６８、７８の間に確実に固定することができる。
【０２０８】
また、付加部材７０と絶縁部材６８の視認面とが略同一平面を形成するように、２つの絶縁部材６８、７８の間に付加部材を配置することができ、装飾用リング３６と絶縁部材６８と付加部材７０とが一体的に視認されるので、装飾用リング３６の美観と高級観が向上し、時計自体の美観も向上することになる。
（実施例８）
図１９は、本発明の別の実施例の無線機能付き時計１０の図７と同様な部分拡大斜視図で、スリット５６内に絶縁部材６８、付加部材７０を装着する状態を説明する部分拡大斜視図、図２０は、図１９の無線機能付き時計１０において、スリット５６内に絶縁部材６８、付加部材７０を装着した状態を説明する部分拡大斜視図である。
【０２０９】
この実施例の無線機能付き時計１０は、図１〜図２に示した無線機能付き時計１０と基本的には同様な構成であり、同一の構成部材には、同一の参照番号を付して、その詳細な説明を省略する。
【０２１０】
この実施例の無線機能付き時計１０では、図１９〜図２０に示したように、付加部材７０が、環状部材である装飾用リング３６と絶縁部材６８との境界８０の少なくとも一部を覆う覆い部７０ｃを備えている。
【０２１１】
このように構成することによって、装飾用リング３６と絶縁部材６８との境界８０が、付加部材７０の覆い部７０ｃで隠されて視認されなくなるので、装飾用リング３６の美観と高級観がさらに向上する。
【０２１２】
また、この場合、図１９に示したように、付加部材７０を絶縁部材６８に装着するために、この実施例では、付加部材７０の背面に係合凸部７０ｄが形成され、これに対応して、絶縁部材６８に係合孔部６８ｄが形成されており、係合凸部７０ｄと係合孔部６８ｄとの係合によって、付加部材７０が絶縁部材６８に取り付けられるようになっている。
【０２１３】
このように構成することによって、係合凸部７０ｄと係合孔部６８ｄとの係合との係合によって、付加部材を絶縁部材にさらに確実に固定することができる。
なお、この場合、絶縁部材６８と付加部材７０のいずれか一方に突設された係合凸部と、他方に形成された係合孔部とを係合することによって、付加部材７０を絶縁部材６８に取り付ければよく、付加部材に８０に係合孔部を設け、絶縁部材６８に係合凸部を設けることも可能である。
【０２１４】
さらに、この場合、図１９〜図２０に示したように、付加部材７０の覆い部７０ｃと環状部材との間に、絶縁部材６８より延出する延出部６８ｅを形成するのが望ましい。
このように構成することによって、装飾用リング３６と絶縁部材６８との境界８０を越えて延びた、導電性の付加部材７０の覆い部７０ｃが、絶縁部材６８の延出部６８ｅに妨げられて、導電性の装飾用リング３６に接触しないことになる。
【０２１５】
その結果、導電性である付加部材７０と装飾用リング３６とが確実に絶縁されるので、装飾用リング３６に渦電流が生じるのが回避され、アンテナの受信感度が向上することになる。
【０２１６】
なお、この場合、図１９〜図２０の実施例では、絶縁部材６８より延出する延出部６８ｅを、付加部材７０の覆い部７０ｃよりも延出距離を短く設定しているが、図示しないが、絶縁部材６８より延出する延出部６８ｅを、付加部材７０の覆い部７０ｃよりも延出距離を略同一とすることによって、導電性の付加部材７０の覆い部７０ｃが、完全に、絶縁部材６８の延出部６８ｅに妨げられて、導電性の装飾用リング３６に接触しないことになり、装飾用リング３６に渦電流が生じるのが回避され、アンテナの受信感度が向上することになる。
（実施例９）
図２１は、本発明の別の実施例の無線機能付き時計１０の図７と同様な部分拡大斜視図である。
【０２１７】
この実施例の無線機能付き時計１０は、図１〜図２に示した無線機能付き時計１０と基本的には同様な構成であり、同一の構成部材には、同一の参照番号を付して、その詳細な説明を省略する。
【０２１８】
この実施例の無線機能付き時計１０では、環状部材である装飾用リング３６の内径側に、装飾用リング３６から離間して、径の異なる環状部材として、この実施例では、装飾用リング３６よりも径の小さい計測リング８２が配置されている。
【０２１９】
そして、この計測リング８２にも、装飾用リング３６のスリット５６と同様に、計測リング８２を周方向に分断するスリット８４が形成されている。
なお、この計測リング８２は、機能表示を示す指標を備えるものであって、例えば、時刻表示、日付表示、曜日表示、月表示、年表示、電池の残量表示、圧力や温度などの外環境測定値の表示、アンテナの受信感度表示、アンテナにおける受信の成否の表示などの時計の機能表示を示す指標である。
【０２２０】
この計測リング８２は、文字板２４の下方に配置されるアンテナ２６との上下方向に沿った距離も短いので、導電性の計測リング８２に周方向に沿った渦電流が生じれば、アンテナ２６の受信感度の低下も大きい。
【０２２１】
従って、逆に、このような計測リング８２にスリット８４が形成されて渦電流が阻止されれば、アンテナの受信感度が大きく改善される。
なお、この実施例の無線機能付き時計１０では、図９の実施例と同様に、環状部材である装飾用リング３６のスリット５６内に配置された絶縁部材６４を備えているが、上記の実施例１〜７と同様に、スリット５６だけにする、指標部材６０を配置するなどその態様を変更できることはもちろんである。
【０２２２】
また、この実施例の無線機能付き時計１０では、計測リング８２のスリット８４内に絶縁部材８６を備えているが、上記の実施例１〜７の装飾用リング３６の場合と同様に、スリット８４だけにする、指標部材を配置するなどその態様を変更できることはもちろんである。
（実施例１０）
図２２は、本発明の別の実施例の無線機能付き時計１０の部分分解斜視図、図２３は、図２２の組み立てた状態の部分拡大断面図である。
【０２２３】
この実施例の無線機能付き時計１０は、図１〜図２に示した無線機能付き時計１０と基本的には同様な構成であり、同一の構成部材には、同一の参照番号を付して、その詳細な説明を省略する。
【０２２４】
この実施例の無線機能付き時計１０では、文字板２４が、外周側文字板８８と、この外周側文字板８８の内周側に配置される内周側文字板９０とから構成されている。そして、外周側文字板８８と内周側文字板９０との間には、内周側環状部材９２が配置されている。
【０２２５】
すなわち、内周側環状部材９２は、内周側段部９２ａが形成されており、この内周側段部９２ａに内周側環状部材９２よりも厚さの薄い内周側文字板９０の外周部分９０ａが嵌合されている。
【０２２６】
また、内周側環状部材９２は、外周側段部９２ｂが形成されており、外周側文字板８８の上部の内周側に突設したフランジ部８８ｂが、この外周側段部９２ｂに嵌合されている
。
【０２２７】
従って、内周側環状部材９２は、文字板２４の厚さ方向に貫通した状態で、文字板２４内に埋設された状態となっている。
さらに、外周側文字板８８の上面には、環状凹部８８ａが形成されており、この環状凹部８８ａ内に、外周側環状部材９４が装着されている。
【０２２８】
また、この実施例では、内周側文字板９０の上面と、内周側環状部材９２の上面と、外周側文字板８８の上面とが、略同一平面を形成している。このように構成することによって、内周側環状部材９２の上面が、文字板２４の上面と略同一平面であれば、内周側環状部材９２と文字板２４とが一体的に視認されるので、内周側環状部材９２の美観と高級観が向上し、時計自体の美観も向上することになる。
【０２２９】
また、外周側環状部材９４が、外周側文字板８８の上面より上方に突出している。
このように外周側環状部材９４の上面が、文字板２４の上面から突出するようにすることによって、外周側環状部材９４が指標などとして機能する場合に、観察者にとって環状部材を視認し易くなる。
さらに、内周側環状部材９２の下面と、外周側文字板８８の下面とが、略同一平面を形成している。このように内周側環状部材９２の下面が、文字板２４の下面と略同一平面であれば、文字板２４の下面に凹凸が存在しないので、文字板２４をソーラーセルなどの駆動機構の上面に配置しやすくなる。
【０２３０】
なお、図示しないが、内周側環状部材９２の下面を文字板２４の下面から突出させて、、例えば、この下方に突出する内周側環状部材９２を係合凸部として、ソーラーセルなどの駆動機構に設けた係合凹部と係合させることができ、組み込みが容易となる。
【０２３１】
また、内周側環状部材９２、外周側環状部材９４には、上記の実施例の装飾用リング３６、計測リング８２と同様に、周方向に分断するスリット９２ｃ、９４ｃがそれぞれ形成され、これらのスリット９２ｃ、９４ｃ内に、絶縁部材９６、９８がそれぞれ配置されている。なお、この場合にも、上記の実施例の装飾用リング３６、計測リング８２と同様に、絶縁部材９６、９８を省略して、スリット９２ｃ、９４を形成したままとすることも可能である。
【０２３２】
この場合、外周側文字板８８と、内周側文字板９０とを同じ材料から構成しても良いが、相互に異なる材料、例えば、外周側文字板８８をポリカーボネートなどのプラスチックから構成し、内周側文字板９０を白蝶貝から構成するなどすれば、デザインのバリエーションが図れ、高級感を付与した無線機能付き時計１０を提供することができる。
【０２３３】
なお、ソーラーセル駆動式とする場合には、ソーラーセルの発電に寄与する波長の外光を透過する透光機能を有するものであれば特に限定されるものではないが、例えば、合成樹脂、セラミック、ガラス、木材、または、貝などの非導電性材料から適宜選択することによって構成することによって、外部からの電波がさらにアンテナに到達しやすくなるため、アンテナの受信感度を向上することができる。
【０２３４】
さらに、この実施例の場合には、内周側環状部材９２と外周側環状部材９４の二つの環状部材を設けたが、この数は適宜変更可能である。例えば、図２４、図２５に示した実施例のように、外周側環状部材９４を省略して、内周側環状部材９２のみとすることも可能である。
【０２３５】
以上、本発明の好ましい実施の態様を説明してきたが、本発明はこれに限定されること
はなく、例えば、上記実施例では、環状部材として、装飾用リング３６、計測リング８２について説明したが、文字板に配置された導電性の環状部材であれば、これにスリットが設けられれば、環状部材の渦電流に起因するアンテナの受信感度の低下が回避されるので、装飾用リング３６、計測リング８２に限定されるものではなない。
【０２３６】
また、ハウジング１２を構成する時計ケース１４、裏蓋１６を導電性の金属製としたが、導電性の部品と、非導電性の部品が混在してもかまわない。また、ハウジング１２は、少なくとも一部が導電性、または、少なくとも一部が非導電性の部材であってもよい。
【０２３７】
さらに、本発明におけるハウジング１２を構成する部品、例えば、時計ケース１４にスリットが形成されても良く、または、時計ケース１４にスリットを形成せずに、環状部材だけにスリットが形成されてもかまわない。時計ケース１４におけるスリットの有無にかかわらず、本発明によれば、環状部材の渦電流に起因するアンテナの受信感度の低下が回避されるので、アンテナの受信感度が向上する。このように、本発明の目的を逸脱しない範囲で種々の変更が可能である。
【図面の簡単な説明】
【０２３８】
【図１】図１は、本発明の無線機能付き時計の実施例の分解斜視図である。
【図２】図２は、図１の無線機能付き時計の組み立てた状態のＡ−Ａ線方向の部分拡大断面図である。
【図３】図３は、本発明の無線機能付き時計のスリット５６の配置を示す実施例の上面図である。
【図４】図４は、本発明の無線機能付き時計のスリット５６の配置を示す実施例の上面図である。
【図５】図５は、本発明の無線機能付き時計のスリット５６の配置を示す実施例の上面図である。
【図６】図６は、本発明の無線機能付き時計のスリット５６の配置を示す実施例の上面図である。
【図７】図７は、本発明の別の実施例の無線機能付き時計１０の文字板２４と文字板２４上に配置した装飾用リング３６を示す部分拡大斜視図である。
【図８】図８は、本発明の別の実施例の無線機能付き時計１０の文字板２４と文字板２４上に配置した装飾用リング３６を示す部分拡大斜視図である。
【図９】図９は、本発明の別の実施例の無線機能付き時計１０の文字板２４と文字板２４上に配置した装飾用リング３６を示す部分拡大斜視図で、スリット５６内に絶縁部材６４を装着する状態を説明する部分拡大斜視図である。
【図１０】図１０は、図９の無線機能付き時計１０において、スリット５６内に絶縁部材６４を装着した状態を説明する部分拡大斜視図である。
【図１１】図１１は、本発明の別の実施例の無線機能付き時計１０の図１０と同様な部分拡大斜視図で、２つのスリット５６の間に導電性のパーツ部材６５を介装した状態を説明する部分拡大斜視図である。
【図１２】図１２は、本発明の別の実施例の無線機能付き時計１０の文字板２４と文字板２４上に配置した装飾用リング３６を示す部分拡大斜視図で、スリット５６内に絶縁部材６８、付加部材７０を装着する状態を説明する部分拡大斜視図である。
【図１３】図１３は、図１２の無線機能付き時計１０において、スリット５６内に絶縁部材６８、付加部材７０を装着した状態を説明する部分拡大断面図である。
【図１４】図１４は、本発明の別の実施例の無線機能付き時計１０の図７と同様な部分拡大斜視図である。
【図１５】図１５は、本発明の別の実施例の無線機能付き時計１０の図７と同様な部分拡大斜視図である。
【図１６】図１６は、本発明の別の実施例の無線機能付き時計１０の図７と同様な部分拡大斜視図である。
【図１７】図１７は、本発明の別の実施例の無線機能付き時計１０の図９と同様な部分拡大斜視図で、スリット５６内に絶縁部材６８、付加部材７０を装着する状態を説明する部分拡大斜視図である。
【図１８】図１８は、図１７の無線機能付き時計１０において、スリット５６内に絶縁部材６８、付加部材７０を装着した状態を説明する部分拡大断面図である。
【図１９】図１９は、本発明の別の実施例の無線機能付き時計１０の図７と同様な部分拡大斜視図で、スリット５６内に絶縁部材６８、付加部材７０を装着する状態を説明する部分拡大斜視図である。
【図２０】図２０は、図１９の無線機能付き時計１０において、スリット５６内に絶縁部材６８、付加部材７０を装着した状態を説明する部分拡大斜視図である。
【図２１】図２１は、本発明の別の実施例の無線機能付き時計１０の図７と同様な部分拡大斜視図である。
【図２２】図２２は、本発明の別の実施例の無線機能付き時計１０の部分分解斜視図である。
【図２３】図２３は、図２２の組み立てた状態の部分拡大断面図である。
【図２４】図２４は、本発明の別の実施例の無線機能付き時計１０の部分拡大斜視図である。
【図２５】図２５は、図２４の実施例の無線機能付き時計１０の部分拡大断面図である。
【図２６】図２６は、従来の無線機能付き時計の実施例の分解斜視図である。
【符号の説明】
【０２３９】
１０   無線機能付き時計
１２   ハウジング
１４   時計ケース
１４   時計ケース内
１６   裏蓋
１８   風防
２０   ムーブメント
２０ａ 小径部
２０ｂ 大径部
２２   ソーラーセル
２４   文字板
２４ａ 係合孔部
２６   アンテナ
２６ａ 開放端部
２８   バンド取り付け部
３０   脚部
３１   針軸
３２   フランジ部
３６ａ 上面
３６ｂ 傾斜面
３６   装飾用リング
３８   装飾用リング本体部
３８ａ 係合凸部
４２   テーパー面
４６   パッキン
４８   中子部材
５０   係合突設部
５２   係合用凹部
５４   支持枠
５６   スリット
５６ａ スリット
６０   指標部材
６２   指標窓部
６４   絶縁部材
６５   パーツ部材
６６   絶縁部材
６８   絶縁部材
６８ｃ 凹部
６８ｄ 係合孔部
６８ｅ 延出部
７０   付加部材
７０ｃ 覆い部
７０ｄ 係合凸部
７１   時刻表示部材
７２   指標
７４   装飾部材
７８ｃ 凹部内
８０   境界
８２   計測リング
８４   スリット
８６   絶縁部材
８８   外周側文字板
８８ａ 環状凹部
８８ｂ フランジ部
９０   内周側文字板
９０ａ 外周部分
９２   内周側環状部材
９２ａ 内周側段部
９２ｂ 外周側段部
９２ｃ、９４ｃ       スリット
９４   外周側環状部材
９６、９８    絶縁部材
１００ 電波時計
１０２ ハウジング
１０４ 時計ケース
１０６ 裏蓋
１０８ 風防
１１０ ムーブメント
１１２ ソーラーセル
１１４ 文字板
１１６ アンテナ
１１８ バンド取り付け部
１２０ 脚部
１２２ スリット
【図１】
2008032565.tif 000003
【図２】
2008032565.tif 000004
【図３】
2008032565.tif 000005
【図４】
2008032565.tif 000006
【図５】
2008032565.tif 000007
【図６】
2008032565.tif 000008
【図７】
2008032565.tif 000009
【図８】
2008032565.tif 000010
【図９】
2008032565.tif 000011
【図１０】
2008032565.tif 000012
【図１１】
2008032565.tif 000013
【図１２】
2008032565.tif 000014
【図１３】
2008032565.tif 000015
【図１４】
2008032565.tif 000016
【図１５】
2008032565.tif 000017
【図１６】
2008032565.tif 000018
【図１７】
2008032565.tif 000019
【図１８】
2008032565.tif 000020
【図１９】
2008032565.tif 000021
【図２０】
2008032565.tif 000022
【図２１】
2008032565.tif 000023
【図２２】
2008032565.tif 000024
【図２３】
2008032565.tif 000025
【図２４】
2008032565.tif 000026
【図２５】
2008032565.tif 000027
【図２６】
2008032565.tif 000028